(57)【要約】【課題】液晶ディスプレイパネルの修復方法を提供する。【解決手段】複数の画素を有すると共に、不良により複数の画素の少なくとも１つにブライトスポット欠陥が存在する不良画素領域を含む液晶ディスプレイ薄膜トランジスタパネルを提供し、薄膜トランジスタパネル上の不良画素領域内に不透明物質６が設けられる。不透明物質６は薄膜トランジスタパネルのいずれか一面又は両面に積層又は印刷する。また、液晶パネルを完成する前に、薄膜トランジスタパネル上にブライトスポット欠陥が形成された画素領域に対応して不透明物質６を配置し、又は、液晶パネルを形成した後、液晶ディスプレイパネル上にブライトスポット欠陥が形成された画素領域に対応して不透明物質６を配置する。【選択図】図６
2008152256.tif 000002
【特許請求の範囲】
【請求項１】
薄膜トランジスタパネルを含む液晶ディスプレイパネルの修復方法であって、
複数の画素を有し、その中の少なくとも１つの画素内にブライトスポット欠陥が形成された薄膜トランジスタパネルを提供することと、
薄膜トランジスタパネル上に、ブライトスポット欠陥が形成された画素領域内に不透明物質を配置することと、
を含むことを特徴とする液晶ディスプレイパネルの修復方法。
【請求項２】
前記薄膜トランジスタパネルのいずれか一面に不透明物質を配置する請求項１に記載の液晶ディスプレイパネルの修復方法。
【請求項３】
前記薄膜トランジスタパネルの両面に不透明物質を配置する請求項１に記載の液晶ディスプレイパネルの修復方法。
【請求項４】
デポジションにより不透明物質を配置する請求項１に記載の液晶ディスプレイパネルの修復方法。
【請求項５】
印刷により不透明物質を配置する請求項１に記載の液晶ディスプレイパネルの修復方法。
【請求項６】
液晶ディスプレイパネルの修復方法であって、
複数の画素を有し、その中の少なくとも１つの画素にブライトスポット欠陥が形成され、薄膜トランジスタパネルとカラーフィルタパネルとを備えるセル化された液晶ディスプレイパネルを提供することと、
液晶ディスプレイパネル上にブライトスポット欠陥が形成された画素領域に対応して不透明物質を配置することと、
を含むことを特徴とする液晶ディスプレイパネルの修復方法。
【請求項７】
前記液晶ディスプレイパネルのいずれか一面に不透明物質を配置する請求項６に記載の液晶ディスプレイパネルの修復方法。
【請求項８】
前記液晶ディスプレイパネルの両面に不透明物質を配置する請求項６に記載の液晶ディスプレイパネルの修復方法。
【請求項９】
デポジションにより不透明物質を配置する請求項６に記載の液晶ディスプレイパネルの修復方法。
【請求項１０】
印刷により不透明物質を配置する請求項６に記載の液晶ディスプレイパネルの修復方法。
【発明の詳細な説明】
【技術分野】
【０００１】
本発明は、液晶ディスプレイ（Liquid Crystal Display: LCD）パネルの修復方法、特に、ブライトスポット欠陥が存在する液晶ディスプレイパネルの修復方法に関する。
【背景技術】
【０００２】
液晶ディスプレイ（LCD）は、現在広い領域（分野）に使われるディスプレイである。液晶ディスプレイの作動原理としては、液晶の物理特性を利用し、電気が通る時、光が容易に透過するように液晶の配列が整然となり、一方、電気が通らない時、その配列が混乱となり、光の透過が阻止される。このことによって、スクリーンに画像が形成されたり色が現れたりする。液晶ディスプレイの製造プロセスは非常に複雑なため、製造工程において、プロセス誤差によるスポット欠陥の発生は回避できない。スポット欠陥としては、主にブライトスポットとダークスポットが含まれる。人間の目はブライトスポットに対して敏感であり、ダークスポットに対してそれほど敏感ではないため、グレードが比較的に高い製品においても、ダークスポットの存在は許容されるが、ブライトスポットの存在は許容されない。これに基づいて、生産において、ブライトスポット欠陥をなるべくダークスポット欠陥になるように修復する。
【０００３】
一般に、ブライトスポット欠陥による問題を解決する方法は、画素トランジスタの正常な働きを破壊することにより、ブライトスポットをダークスポットに転換させる。この修理方法によって、残留金属により形成されたブライトスポットの修復効果は高いが、異物によるブライトスポットを修復すれば、ブライトスポット欠陥よりも重大であるブライトライン欠陥が起きやすくなる。
【発明の開示】
【発明が解決しようとする課題】
【０００４】
本発明は、従来技術における上記問題点を鑑みて、液晶ディスプレイ原理の光学特性を利用して、従来技術のように電気学特性を利用することにより招かれた問題点を回避できる液晶ディスプレイのブライトスポット欠陥を修復する方法を提供することを目的とする。
【課題を解決するための手段】
【０００５】
上記目的を実現するため、本発明の一態様では、薄膜トランジスタパネルを含む液晶ディスプレイパネルの修復方法を提供する。この方法は、複数の画素を有し、その中の少なくとも１つの画素内にブライトスポット欠陥が形成された薄膜トランジスタパネルを提供することと、薄膜トランジスタパネル上に、ブライトスポット欠陥が形成された画素領域内に不透明物質を配置することと、を含む。
【０００６】
一つの態様において、薄膜トランジスタパネルのいずれか一面又は両面に不透明物質を配置する。
【０００７】
一つの態様において、デポジション（積層）により不透明物質を配置してもよい。又は、選択的に、印刷により不透明物質を配置してもよい。
【０００８】
本発明のその他の態様では、液晶ディスプレイパネルの修復方法を提供する。この方法は、複数の画素を有し、その中の少なくとも１つの画素にブライトスポット欠陥が形成され、薄膜トランジスタパネルとカラーフィルタパネルとを備えるセル化された液晶ディスプレイパネルを提供することと、液晶ディスプレイパネル上にブライトスポット欠陥が形成された画素領域に対応して不透明物質を配置することと、を含む。
【０００９】
一つの態様において、液晶ディスプレイパネルのいずれか一面又はその両面に不透明物質を配置する。
【００１０】
一つの態様において、デポジションにより不透明物質を配置してもよい。又は、選択的に、印刷により不透明物質を配置してもよい。
【発明の効果】
【００１１】
本発明によれば、修復装置を用いて欠陥画素に対応するパネルガラス基板に一層の不透明物質をデポジション又は印刷によって形成し、永久性ブライトスポットを永久性ダークスポットに転換させ、光学的修復を実現する。この方法によって、従来のように電気学特性を利用することによりさらに重大なブライトラインが形成される問題を回避し、液晶ディスプレイ装置の歩留まりを向上できる。
【発明を実施するための最良の形態】
【００１２】
続く詳細な説明により、本発明を実現する特定な例示的な実施例を記載する。しかし、本発明は異なる形式で実現でき、ここで説明する実施例に限られると解釈してはならない。本文において、素子又は層が他の素子又は層上にある、或いは他の素子又は層に連結すると説明する場合、該素子又は層は他の素子又は層に直接位置し、他の素子又は層に直接連結しても良く、中間の素子又は層が介在しても良い。以下の説明において、便利上、本発明における関連技術と同様な部材について同じ参照符号にて示す。
【００１３】
本発明の実施例によれば、液晶ディスプレイをセル化する前に、液晶ディスプレイパネルを修復する方法を提供する。この液晶ディスプレイパネルは、薄膜トランジスタパネルとカラーフィルタパネルとを備える。そこで、薄膜トランジスタパネルは、複数の画素を有し、その中の少なくとも一つの画素に不良によりブライトスポットが形成されている。セル化する前に、検出装置による検出結果によって、デポジション装置で薄膜トランジスタパネルのガラス基板の表面に、不良画素に対応する領域に、タングステンなどの金属のような一層の不透明物質をデポジションし、光の透過を効率的に遮蔽することにより、ブライトスポットをダークスポットに転換させ、製品の品質を向上する。
【００１４】
また、本発明の実施例によれば、液晶ディスプレイをセル化した後、液晶ディスプレイパネルを修復する方法を提供する。この液晶ディスプレイパネルは、複数の画素を有し、その中の少なくとも一つの画素に不良によりブライトスポットが形成されている。セル化する前に、検出装置による検出結果によって、デポジション装置で薄膜トランジスタパネルのガラス基板の表面に、不良画素に対応する領域に、タングステンなどの金属のような一層の不透明物質をデポジションし、光の透過を効率的に遮蔽することにより、ブライトスポットをダークスポットに転換させ、製品の品質を向上する。
【００１５】
上述方法によれば、ブライトスポット欠陥の起因に制限がなく、ブライトスポット欠陥であれば修復できる。本発明に適用する装置やデポジション物については、デポジション膜がある程度の厚さに達し、有効に光を遮蔽すれば、特定しない。本発明によるデポジション膜の厚さについて、偏光フィルムの貼付けに影響がなく光の透過を有効に遮蔽できれば、限定しない。上記デポジションは、薄膜トランジスタ側のガラス基板に行なってもよく、カラーフィルタ側に行なってもよく、両側に同時に行なってもよい。何れによっても、液晶ディスプレイの修復効果が実現できる。
【００１６】
本発明の上記目的、特徴及び有利点をより明らかにするように、下記の実施例と添付図面を参照しながら、詳細に説明する。
【００１７】
液晶ディスプレイパネルは薄膜トランジスタパネルとカラーフィルタパネルからなるセル型構造であり、この二つのパネルの何れも例えばガラス基板のような基板を備えるため、デポジションはその中のいずれか一つを選択して行なってもよく、二枚のガラス基板に同時に行なってもよい。下記の実施例１と実施例２はそれぞれ詳細に説明する。
【００１８】
図１は、通常の液晶ディスプレイの画素領域におけるブライトスポット欠陥の平面図であり、液晶ディスプレイのある画素を示している。この画素は、スキャンライン（走査線）１、データライン２及び透明電極３を含み、右上のデータライン２にある金属残留物質（残留金属）７によりブライトスポット欠陥が引起される。
【００１９】
図２は、液晶ディスプレイがセル化される前に、ある画素ａ−ａ’位置の断面図であり、データライン２は薄膜トランジスタパネルの第１のガラス基板４上に配列されている。
【００２０】
図３は、液晶ディスプレイがセル化された後のある画素ａ−ａ’位置の断面図であり、第１のガラス基板４とカラーフィルタパネルの第２のガラス基板５とは、正確に位置を合わせることにより、液晶ディスプレイパネルのセル化構造になる。
【００２１】
図１のように形成されたブライトスポット欠陥について、本発明の実施例において、２種類の具体的方法によって修復する。
【実施例１】
【００２２】
本発明の第１の実施例によれば、図５に示すように、第１のガラス基板４上に、ブライトスポット欠陥のある画素領域に対応する位置に、１層の不透明物質６をデポジション又は印刷により形成して光の透過を遮蔽し、金属残留物質７によるブライトスポット欠陥は、より許容されやすいダークスポット欠陥に転換させる。その結果は、図４（図５は図４のｂ−ｂ’位置の断面図である）に示される。
【実施例２】
【００２３】
本発明の第２の実施例によれば、図６に示すように、第２のガラス基板５の表面上に、ブライトスポット欠陥のある画素領域に対応する位置に、１層の不透明物質６をデポジション又は印刷により形成することにより、同様に、光を遮蔽して、ブライトスポットをダークスポットに転換させる効果が実現できる。
さらに、使用が便利で、光を遮蔽できるものであれば、デポジション又は印刷は、薄膜トランジスタパネルの第１のガラス基板４及び/又はカラーフィルタパネルの第２のガラス基板５の何れの面において行なっても良い。
上記実施例は、本発明の技術案を説明するものであり、限定するものではない。上記のように本発明の実施形態を説明したが、これは種々変更してもよいことは明らかである。そのような変更は、本発明の精神と範囲からの逸脱ではあるとみなされるべきではなく、当業者にとって自明であるような変更はすべて、特許請求の範囲の中に含まれるものである。
本発明は、２００６年１２月１３日に中国国家知識産権局に出願した第２００６１０１６５１３７．８号特許出願の優先権を請求する。その出願の全ての内容をここで援用する。
【図面の簡単な説明】
【００２４】
【図１】一般な液晶ディスプレイにおけるブライトスポット欠陥を説明する平面図である。
【図２】図１のａ−ａ’位置における断面図である。
【図３】セル化後の図１のａ−ａ’位置における断面図である。
【図４】本発明の第１の実施例に係る液晶ディスプレイのブライトスポット欠陥の修復方法を示す平面図である。
【図５】図４のｂ−ｂ’位置における断面図である。
【図６】本発明の第２の実施例に係る液晶ディスプレイのブライトスポット欠陥の修復方法を示す断面図である。
【符号の説明】
【００２５】
１  スキャンライン、  ２  データライン、  ３  透明電極、  ４  第１のガラス基板、  ５  第２のガラス基板、  ６  不透明物質、  ７  金属残留物質。  
【図１】
2008152256.tif 000003
【図２】
2008152256.tif 000004
【図３】
2008152256.tif 000005
【図４】
2008152256.tif 000006
【図５】
2008152256.tif 000007
【図６】
2008152256.tif 000008